(57)【特許請求の範囲】
【請求項１】
清掃シートを着脱交換可能に装着させる清掃シート装着具が清掃ヘッドの上面部に設けられ、清掃ヘッドの底面部を覆って巻き付けた清掃用シートの端縁部を清掃シート装着具に係着させて、清掃ヘッドに清掃用シートを装着した状態を保持する清掃用具であって、
前記清掃シート装着具は、装着部材に保持用スリット及び開き用スリットを形成することによって構成され、前記保持用スリットは、前記清掃シートに作用する引張力の方向に対し直角又は略直角な方向に延設して鋸歯形状又は波形形状に形成されており、
前記開き用スリットは、前記保持用スリットの中央部分で前記保持用スリットに連続する、前記保持用スリットを挟んだ一方の側に２本延設する２本スリットと、他方の側に前記保持用スリットの延設方向に対して斜めに延設する斜めスリットとからなり、
且つ前記斜めスリットは、前記保持用スリットと近接する基端部と、該基端部よりも先端側の該基端部よりもスリット幅の広い広幅部とからなり、
該広幅部は、前記斜めスリットの先端から少なくとも前記斜めスリットの延設方向の中央に至る領域に設けられる清掃用具。
【請求項２】
前記２本スリットは、前記保持用スリットを挟んだ前記清掃ヘッドの側縁部側に設けられ、前記斜めスリットは、前記清掃ヘッドの中央部側に設けられる請求項１記載の清掃用具。
【請求項３】
前記清掃シート装着具は、清掃ヘッドの上面部に取り付けられる円弧形状且つ帯板形状の装着部材の両端部分に設けられており、前記斜めスリットは、前記円弧形状の接線方向と平行又は略平行な方向に延設して設けられている請求項２記載の清掃用具。
【請求項４】
前記開き用スリットの前記２本スリット及び前記斜めスリットの少なくとも先端部分の開口縁部に沿って、補強リブが、前記装着部材料の裏面側に突出して設けられている請求項１〜３のいずれか１項記載の清掃用具。
【発明の詳細な説明】
【技術分野】
【０００１】
本発明は、清掃用具に関し、特に清掃シートを着脱交換可能に装着させる清掃シート装着具が清掃ヘッドの上面部に設けられた清掃用具に関する。
【背景技術】
【０００２】
例えば床面の清掃を行う清掃用具として、使い捨て用の清掃シートが着脱交換可能に装着される清掃ヘッドと、清掃ヘッドの上面部にジョイント部を介して回転可能に連結される柄とからなる清掃用具が種々知られている。これらの清掃用具は、清掃ヘッドの上面部に、係着用のスリットが形成された柔軟な弾性材料からなる清掃シート装着具が、例えば矩形形状の清掃ヘッドの各角部分に近接して４箇所に設けられており、清掃ヘッドの底面部を下方から覆うようにして、清掃シートを清掃ヘッドに巻き付けた後に、清掃シートの端縁部を、清掃ヘッドの上面部のシート装着具のスリットに押し込んで係着することにより、清掃シートを、清掃ヘッドに着脱交換可能に容易に装着することができる（例えば、特許文献１参照）。
【０００３】
また、シート装着具に押し込んで係着された清掃シートの係着性を向上させて、清掃時に清掃シートが清掃ヘッドから外れ難くなるようにした清掃用具も開発されている（例えば、特許文献２参照）。特許文献２の清掃用具では、柔軟な弾性材料からなる清掃シート装着具に設けられた係着用のスリットを、清掃シートに作用する引張力の方向に対して直角な方向に延設させて鋸歯形状に形成した保持用スリットと、該保持用スリットの中央部分から連続して放射状に延設する複数の開き用スリットとによって構成し、鋸歯形状の保持用スリットに清掃シートの端縁部を係着させて、装着後に清掃シートを掃ヘッドに確実に保持できるようにする。
【先行技術文献】
【特許文献】
【０００４】
【特許文献１】実開昭４９−６８２６３号公報
【特許文献２】実用新案登録第２５０７３００号公報
【発明の概要】
【発明が解決しようとする課題】
【０００５】
特許文献２の清掃用具では、鋸歯形状の保持用スリットに清掃シートの端縁部を係着させて、清掃ヘッドに装着された清掃シートを外れ難くすることができるが、清掃シートを装着させる際の作業性をさらに向上させるための、新たな技術の開発が望まれている。
【０００６】
本発明は、清掃ヘッドに装着された清掃シートを外れ難くすることができると共に、清掃シートを装着する際の作業性をさらに向上させることのできる清掃用具を提供することを目的とする。
【課題を解決するための手段】
【０００７】
本発明は、清掃シートを着脱交換可能に装着させる清掃シート装着具が清掃ヘッドの上面部に設けられ、清掃ヘッドの底面部を覆って巻き付けた清掃用シートの端縁部を清掃シート装着具に係着させて、清掃ヘッドに清掃用シートを装着した状態を保持する清掃用具であって、前記清掃シート装着具は、装着部材に保持用スリット及び開き用スリットを形成することによって構成され、前記保持用スリットは、前記清掃シートに作用する引張力の方向に対し直角又は略直角な方向に延設して鋸歯形状又は波形形状に形成されており、前記開き用スリットは、前記保持用スリットの中央部分で前記保持用スリットに連続する、前記保持用スリットを挟んだ一方の側に２本延設する２本スリットと、他方の側に前記保持用スリットの延設方向に対して斜めに延設する斜めスリットとからなり、且つ前記斜めスリットは、前記保持用スリットと近接する基端部と、該基端部よりも先端側の該基端部よりもスリット幅の広い広幅部とからなる清掃用具を提供することにより、上記目的を達成したものである。
【発明の効果】
【０００８】
本発明の清掃用具によれば、清掃ヘッドに装着された清掃シートを外れ難くすることができると共に、清掃シートを装着する際の作業性をさらに向上させることができる。
【図面の簡単な説明】
【０００９】
【図１】本発明の好ましい一実施形態に係る清掃用具の全体構成を説明する斜視図である。
【図２】清掃シートを取り付ける前の状態の清掃ヘッドの斜視図である。
【図３】清掃ヘッドの分解斜視図である。
【図４】清掃シート装着具が形成された装着部材の平面図である。
【図５】（ａ）は清掃シート装着具が形成された装着部材の裏面図、（ｂ）は（ａ）のＡ部拡大斜視図である。
【発明を実施するための形態】
【００１０】
本発明の好ましい一実施形態に係る清掃用具１０は、図１に示すように、清掃ヘッド１１と柄１２とからなり、清掃ヘッド１１の底面部による清掃面１５を覆って着脱交換可能に使い捨て用の清掃シート１６を装着して、例えば床面を被清掃面として柄１２を把持した操作によって清掃作業を簡易に行えるようにする。また、本実施形態の清掃用具１０は、清掃ヘッド１１に清掃シート１６を着脱交換可能に容易に装着できるようにする清掃シート装着具１３が、清掃ヘッド１１の上面部１１ａに設けられている。清掃シート装着具１３は、当該清掃シート装着具１３に端縁部を押し込んで装着された清掃シート１６を、清掃ヘッド１１に確実に保持させる機能を備えると共に、清掃シート１６を清掃ヘッド１１に装着する際の作業性を向上させる機能を備える。
【００１１】
本実施形態の清掃用具１０は、清掃シート１６を着脱交換可能に装着させる清掃シート装着具１３が清掃ヘッド１１の上面部１１ａに設けられ、清掃ヘッド１１の底面部（清掃面）１５を覆って巻き付けた清掃用シート１６の端縁部を清掃シート装着具１３に係着させて、清掃ヘッド１１に清掃用シート１６を装着した状態を保持する清掃具であって、図２〜図４に示すように、清掃シート装着具１３は、柔軟な弾性材料で形成された装着部材１４に保持用スリット１７及び開き用スリット１８を形成することによって構成される。保持用スリット１７は、清掃シート１６に作用する引張力の方向Ｆ（本実施形態では、矩形平面形状を有する清掃ヘッド１１の短辺方向に対して平行又は略平行な方向）に対し直角又は略直角な方向に延設して鋸歯形状に形成されている。開き用スリット１８は、保持用スリット１７の中央部分で保持用スリット１７に連続する、保持用スリット１７を挟んだ一方の側に２本延設する２本スリット１９と、他方の側に保持用スリット１７の延設方向に対して斜め（本実施形態では４５〜７５度）に延設する斜めスリット２０とからなり、且つ斜めスリット２０は、保持用スリット１７と近接する基端部２０ａ（スリット幅ｂ1）と、該基端部２０ａよりも先端側の該基端部２０ａよりもスリット幅の広い広幅部２０ｂ（スリット幅ｂ2）とからなる（図４参照）。本実施形態では、広幅部２０ｂは、斜めスリット２０の先端から少なくとも斜めスリット２０の延設方向の中央に至る領域に設けられる。
【００１２】
また、本実施形態では、開き用スリット１８の２本スリット１９は、保持用スリット１７を挟んだ清掃ヘッド１１の側縁部側に設けられ、斜めスリット２０は、清掃ヘッド１１の中央部側に設けられている。
【００１３】
さらに、本実施形態では、保持用スリット１７及び開き用スリット１８が形成される装着部材１４は、円弧形状且つ帯板形状を有しており、矩形平面形状を有する清掃ヘッド１１の長辺方向の両側部分を短辺方向に横断して、清掃ヘッド１１の上面部１１ａに一体となって一対取り付けられている。清掃シート装着具１３は、これらの円弧形状且つ帯板形状の装着部材１４の両端部分に配置されて各２箇所に設けられることで、清掃ヘッド１１の上面部１１ａの角部分に近接して合計４箇所に設けられており、開き用スリット１８の斜めスリット２０は、各々、装着部材１４の円弧形状の接線方向と平行又は略平行な方向に延設している。
【００１４】
本実施形態では、清掃用具１０を構成する清掃ヘッド１１は、長辺が２００〜３００ｍｍ程度、短辺が５０〜１５０ｍｍ程度の大きさの矩形平面形状を有しており、例えばプラスチック製の平板状部材であるヘッド本体１１ｂの下面を覆って、クッション材１１ｄを介在させた状態で弾性変形可能なベース体１１ｃを取り付けることによって構成される（図２及び図３参照）。弾性変形可能なベース体１１ｃの下面を清掃面１５として、この清掃面１５を覆って清掃シート１６が清掃ヘッド１１に装着される。
【００１５】
清掃ヘッド１１と共に清掃用具１０を構成する柄１２は、図１に示すように、細長いロッド状の柄本体２４と、柄本体２４の上部に一体として連結固定される把持部２５とからなる。柄１２は、公知のジョイント構造を備えるジョイント部２６を介して、清掃ヘッド１１の上面部１１ａの中央部分に、清掃ヘッド１１に対して上下方向Ｖのみならず周方向Ｒにも回転可能に連結される。
【００１６】
なお、本実施形態では、清掃面１５を覆って清掃ヘッド１１に取り付けられて塵埃や汚れ等を付着させる清掃シート１６としては、例えばオレフィン系極細繊維不織布等の公知の各種の清掃シートを用いることができる。
【００１７】
そして、本実施形態では、清掃ヘッド１１の上面部１１ａの長辺方向の両側部分には、装着部材１４を嵌着するための嵌着開口２１が、装着部材１４の平面形状と対応する円弧形状且つ帯板形状に切欠き形成されると共に、円弧形状の凹部側を対向させた対称な位置に配設されて、一対設けられている（図３参照）。これらの嵌着開口２１には、装着部材１４が各々嵌め込まれることで、清掃シート装着具１３が両端部に設けられた一対の装着部材１４が、清掃ヘッド１１の上面部１１ａに各々一体として嵌着固定される（図２参照）。
【００１８】
装着部材１４の両端部に各々設けられた清掃シート装着具１３は、上述のように、装着部材１４に保持用スリット１７及び開き用スリット１８を形成することによって構成される。本実施形態では、保持用スリット１７は、図４に示すように、開き角θ1が６０〜１２０°程度（本実施形態では９０°）の鋸歯形状に形成されると共に、鋸歯の連続する方向が、清掃シート１６に作用する主な引張力の方向Ｆである、清掃ヘッド１１の短辺方向に対して平行又は略平行な方向に対して、直角又は略直角な方向となるように延設して設けられる。開き角θ1が６０〜１２０°程度であると、清掃シート１６を装着しやすく、且つ、清掃シート１６に作用する引張力に対抗して清掃シート１６が不用意に保持用スリットから抜けにくくなる。保持用スリット１７は、０．３〜０．７ｍｍ程度のスリット幅を有していることが好ましく、装着部材１４の上面側から裏面側へ向かってスリット幅を漸次拡大するよう形成されていることが好ましい。保持用スリット１７の中央部分から連続して、開き用スリット１８が形成される。
【００１９】
開き用スリット１８は、本実施形態では、保持用スリット１７を挟んだ清掃ヘッド１１の長辺部分に沿った側縁部側に設けられる２本スリット１９と、保持用スリット１７を挟んだ清掃ヘッド１１の長辺部分に沿った側縁部とは反対の、清掃ヘッド１１の中央部側に設けられる斜めスリット２０とからなる。２本スリット１９は、保持用スリット１７の中央部の鋸歯のスリットと連続して、保持用スリット１７の開き角θ1と同様の６０〜１２０°程度の開き角θ2で、長辺部分に沿った側縁部側に向けてスリット間の間隔を広げるようにしてＶ字形状のＶ字スリットとして設けられる。２本スリット１９は、０．３〜０．７ｍｍ程度のスリット幅を有していることが好ましく、装着部材１４の上面側から裏面側へ向かってスリット幅を漸次拡大するよう形成されていることが好ましい。
【００２０】
斜めスリット２０は、本実施形態では、２本スリット１９が連続する保持用スリット１７の中央部の鋸歯の頂部から、２本スリット１９とは保持用スリット１７を挟んだ反対側に連続して設けられる。また、斜めスリット２０は、清掃シート１６に作用する引張力の方向Ｆ（本実施形態では、矩形平面形状を有する清掃ヘッド１１の短辺方向に対して平行又は略平行な方向）に対して斜めの方向として、装着部材１４の円弧形状の接線方向と平行又は略平行な方向に延設して設けられている。さらに、斜めスリット２０は、保持用スリット１７と近接する基端部２０ａのスリット幅ｂ1が０．３〜０．７ｍｍ程度、当該基端部２０ａより先端側部分の広幅部２０ｂのスリット幅ｂ2が０．７〜１．３ｍｍ程度となっていて、基端部２０ａのスリット幅ｂ1よりも、広幅部２０ｂのスリット幅ｂ2の方が広くなっている。斜めスリット２０は、装着部材１４の上面側から裏面側へ向かってスリット幅を漸次拡大するよう形成されていることが好ましい。
【００２１】
また、本実施形態では、図５（ａ）、（ｂ）に示すように、開き用スリット１８の２本スリット１９及び斜めスリット２０の先端は、円弧形状に形成されており、またこれらのスリット１９，２０の少なくとも先端部分の開口縁部に沿って、補強リブ２２が、装着部材１４の裏面側に突出して設けられている。２本スリット１９や斜めスリット２０の先端部分の開口縁部に補強リブ２２が設けられていることにより、清掃シート装着具１３への清掃シート１６の着脱操作が繰り返し行われても、２本スリット１９及び斜めスリット２０の先端が切り裂かれて破断するのを効果的に回避することが可能になる。
【００２２】
なお、装着部材１４は柔軟な弾性材料で形成されているが、材質としては低密度ポリエチレン（ＬＤＰＥ）、直鎖状低密度ポリエチレン（ＬＬＤＰＥ）等のポリオレフィンや各種のエラストマー樹脂等を使用することができる。
【００２３】
上述の構成を備える本実施形態の清掃用具１０では、清掃シート１６を清掃ヘッド１１に装着するには、清掃シート１６を清掃ヘッド１１の清掃面となる底面部１５に巻き付け、清掃シート１６の両側縁部を上面部１１ａの上に位置させる。しかる後に、清掃シート１６の側縁部を指で清掃シート装着具１３へ向けて押し込み、清掃シート装着具１３を変形させる。この状態で指を離すと清掃シート装着具１３が元の形状に復帰して、清掃シート１６の側縁部が清掃シート装着具１３の保持用スリット１７に噛み込まれることで系着保持される。これによって清掃シート１６が清掃ヘッド１１に装着される（図１参照）。
【００２４】
そして、本実施形態の清掃用具１０によれば、清掃ヘッド１１に装着された清掃シート１６を外れ難くすることができると共に、清掃シート１６を装着する際の作業性をさらに向上させることができる。
【００２５】
すなわち、本実施形態によれば、清掃シート装着具１３の保持用スリット１７は、清掃シート１６に作用する引張力の方向Ｆに対し直角又は略直角な方向に延設して鋸歯形状に形成されているので、清掃シート装着具１３に押し込まれた清掃シート１６の側縁部を強固に係着して、清掃シート１６を清掃時に外れ難くすることができる。また保持用スリット１７の中央部分で連続する開き用スリット１８の２本スリット１９が、一定角度の開き角θ2で、清掃ヘッド１１の長辺部分に沿った側縁部側に向けてスリット間の間隔を広げるようにして設けられている為、清掃シート１６に作用する引張力に対して清掃シートをより強固に係着させることが可能となる。
【００２６】
また、開き用スリット１８の斜めスリット２０は、保持用スリット１７の延設方向に対して一定角度で斜めに設けられていて(本実施形態では円弧形状且つ帯板形状の装着部材１４の接線方向と平行又は略平行な方向に延設して設けられていて)、また保持用スリット１７と近接する基端部２０ａのスリット幅ｂ1よりも、当該基端部２０ａより先端側部分の広幅部２０ｂのスリット幅ｂ2の方が広くなっているので、清掃シート１６の側縁部を指で清掃シート装着具１３へ向けて押し込む際に押し込みやすくなり従って、清掃シート１６を係着しやすくなり、清掃シート１６を装着する際の作業性をさらに向上させることが可能になる。
【００２７】
なお、本発明は上記実施形態に限定されることなく種々の変更が可能である。例えば、装着部材は、円弧形状且つ帯板形状を備えている必要は必ずしも無く、斜めスリットは、装着部材の円弧形状の接線方向と平行又は略平行な方向に延設して設けられる必要は必ずしも無い。また、２本スリット及び斜めスリットの開口縁部に補強リブを設ける必要は必ずしも無い。
【００２８】
また、保持用スリットは、鋸歯形状の他、波形形状も採用することができる。
【符号の説明】
【００２９】
１０  清掃用具
１１  清掃ヘッド
１１ａ  清掃ヘッドの上面部
１１ｂ  ヘッド本体
１１ｃ  ベース体
１２  柄
１３  清掃シート装着具
１４  清掃シート装着部材
１５  清掃面（清掃ヘッドの底面部）
１６  清掃シート
１７  保持用スリット
１８  開き用スリット
１９  ２本スリット
２０  斜めスリット
２０ａ  基端部
２０ｂ  広幅部
２２  補強リブ
ｂ1，ｂ2  スリット幅
θ1，θ2  開き角
【図１】
0005631140.tif 000002
【図２】
0005631140.tif 000003
【図３】
0005631140.tif 000004
【図４】
0005631140.tif 000005
【図５】
0005631140.tif 000006